(57)【要約】      （修正有）【課題】電子コンテンツの配色を提案する際に、色覚異常者が区別できる色で、かつ文字の見やすさも考慮した配色案を提供する。【解決手段】電子コンテンツの配色を提案する配色提案装置１００は、背景色の情報を入力する背景色入力部１０１と、文字色の情報を入力する文字色入力部１０２と、前記入力された背景色の色空間の変換を行い、背景色の明度、彩度及び色相角を求める色情報計算部１０３と、前記求められた背景色の色相角を変化させた背景色の配色の組み合わせを算出する色相案算出部１０４と、背景色の配色の組み合わせにおける背景色の明度を調節することにより文字の可読性を向上させる文字可読性調節部１０５と、前記調節された背景色の配色の組み合わせの色差を調節する色差調節部１０６と、前記調節された背景色の配色の組み合わせを表示する結果表示部１０７とを有する。【選択図】図１
2018022347.tif 000002
【特許請求の範囲】
【請求項１】
電子コンテンツの配色を提案する配色提案装置であって、
背景色の情報を入力する背景色入力部と、
文字色の情報を入力する文字色入力部と、
前記背景色入力部から入力された背景色の色空間の変換を行い、背景色の明度、彩度及び色相角を求める色情報計算部と、
前記色情報計算部で求められた背景色の色相角を変化させた背景色の配色の組み合わせを算出する色相案算出部と、
前記色相案算出部で算出された背景色の配色の組み合わせと文字色の情報とに基づいて、文字の可読性を評価し、背景色の配色の組み合わせにおける背景色の明度を調節することにより文字の可読性を向上させる文字可読性調節部と、
前記文字可読性調節部で調節された背景色の配色の組み合わせの色差を調節する色差調節部と、
前記色差調節部で調節された背景色の配色の組み合わせを表示する結果表示部と、
を有する配色提案装置。
【請求項２】
前記色相案算出部は、背景色の配色の組み合わせとして、背景色の色相角を変化させた対照色相配色と類似色相配色と補色色相配色の組み合わせを算出する、請求項１に記載の配色提案装置。
【請求項３】
前記色差調節部は、対照色相配色と類似色相配色と補色色相配色の組み合わせに対して、彩度の調整を行うことにより色差を調節する、請求項２に記載の配色提案装置。
【請求項４】
前記文字可読性調節部は、背景色と文字色とのコントラスト比を算出し、コントラスト比が基準値を満たすように、背景色の明度を調節する、請求項１乃至３のうちいずれか１項に記載の配色提案装置。
【請求項５】
電子コンテンツの配色を提案する配色提案装置における配色提案方法であって、
入力された背景色の情報を受け取るステップと、
入力された文字色の情報を受け取るステップと、
前記受け取った背景色の色空間の変換を行い、背景色の明度、彩度及び色相角を求めるステップと、
前記求められた背景色の色相角を変化させた背景色の配色の組み合わせを算出するステップと、
前記算出された背景色の配色の組み合わせと文字色の情報とに基づいて、文字の可読性を評価し、背景色の配色の組み合わせにおける背景色の明度を調節することにより文字の可読性を向上させるステップと、
前記背景色の明度が調節された背景色の配色の組み合わせの色差を調節するステップと、
前記色差が調節された背景色の配色の組み合わせを表示するステップと、
を有する配色提案方法。
【請求項６】
電子コンテンツの配色を提案する配色提案装置として、コンピュータを機能させるためのプログラムであって、当該コンピュータを、
背景色の情報を入力する背景色入力手段、
文字色の情報を入力する文字色入力手段、
前記背景色入力手段から入力された背景色の色空間の変換を行い、背景色の明度、彩度及び色相角を求める色情報計算手段、
前記色情報計算手段で求められた背景色の色相角を変化させた背景色の配色の組み合わせを算出する色相案算出手段、
前記色相案算出手段で算出された背景色の配色の組み合わせと文字色の情報とに基づいて、文字の可読性を評価し、背景色の配色の組み合わせにおける背景色の明度を調節することにより文字の可読性を向上させる文字可読性調節手段、
前記文字可読性調節手段で調節された背景色の配色の組み合わせの色差を調節する色差調節手段、及び
前記色差調節手段で調節された背景色の配色の組み合わせを表示する結果表示手段、
として機能させるプログラム。
【発明の詳細な説明】
【技術分野】
【０００１】
本発明は、配色提案装置、配色提案方法及びプログラムに関し、特に、電子画像又は電子コンテンツの配色を提案する際に、任意の背景色に対し、先天性色覚異常者が区別でき、かつ、文字も見やすくなる背景色の組み合わせを提案することで、アクセシビリティを向上させる配色の組み合わせ案を提案する配色提案装置、配色提案方法及びプログラムに関する。
【背景技術】
【０００２】
近年、インターネットが社会において広く普及し、様々な環境で閲覧されうること、様々な特徴を持った利用者がいることを想定したWebコンテンツ作成および提供が求められている。Webサイトのアクセシビリティを担保するためのガイドラインとして、JIS X 8341-3「高齢者・障害者等配慮設計指針−情報通信における機器、ソフトウェア及びサービス」（以下JIS、非特許文献１）がある。このガイドラインで、テキスト（および画像上の文字）について、背景色と文字色の間のコントラスト（差）を保つことが定められており、「コントラスト比」の基準値が規定されている。この基準値を満たすかどうかについて、色の値を入力することで自動でチェックできるツールなども提供されている（非特許文献２）。
【０００３】
また、生まれつき色の見え方が異なる先天性色覚異常者にとって、表示された色の組み合わせが区別できるかどうかをチェックできるシミュレーションアルゴリズムも多数提供されている（非特許文献３）。デザイナは、これらの技術を使用し、高齢者や色覚異常者など多様な色の見え方を持つユーザに対しても区別しやすい配色となるようにデザインしている。
【先行技術文献】
【非特許文献】
【０００４】
【非特許文献１】JIS X 8341-3 : 2004「高齢者・障害者等配慮設計指針−情報通信における機器、ソフトウェア及びサービス −第3部：ウェブコンテンツ」, 日本規格協会, 2010年8月20日
【非特許文献２】Contrast-A, インターネット, http://dasplankton.de/ContrastA/, 2016年7月4日取得
【非特許文献３】Brettel et al., "Computerized simulation of color appearance for dichromats," J. Opt. Soc. Am. A, pp.2647-2655, 1997年
【発明の概要】
【発明が解決しようとする課題】
【０００５】
Webサイトのメニューバーやボタンの配色を決める際、色の違いによって情報カテゴリの違いを表現することが多い。このとき、アクセシビリティを保とうとすると、先天性色覚異常者にも区別できる色であり、かつ、上に乗せた文字が見やすいような色の組み合わせを探す必要がある。しかし、上記で述べたJISによる背景色と文字色の間のコントラスト基準値は、明るさの差が保たれているかどうかの最低基準を定めたものであり、その基準を満たしていれば良いため、使用可能な色は膨大に存在してしまい選ぶのが難しくなる。コントラスト基準値を満たしているかどうか判断するツール（非特許文献２）は、基準値を満たしているかどうかの結果は提示するが、配色案を提案するツールではない。一方、先天性色覚異常者にとっての色の組み合わせをチェックするアルゴリズム（非特許文献３）を実装したシミュレーションツールは先天性色覚異常者がどのように見えているかを表示できるものであり、目視によって使用不可の色は判断できるが、使用可能な色を提案するツールではない。そのため、配色案を探す作業に時間がかかってしまう。配色案を提案するカラーコーディネートツールは多数あるが、これらは色覚異常者が区別できない色を提案することがある。そのため、色覚異常者が区別できる色で、かつ文字の見やすさも考慮した配色案を提案することが必要となる。
【０００６】
本発明は、電子コンテンツの配色を提案する際に、色覚異常者が区別できる色で、かつ文字の見やすさも考慮した配色案を提案できる配色提案装置、配色提案方法及びプログラムを提供することを目的とする。
【課題を解決するための手段】
【０００７】
本発明の一形態に係る配色提案装置は、
電子コンテンツの配色を提案する配色提案装置であって、
背景色の情報を入力する背景色入力部と、
文字色の情報を入力する文字色入力部と、
前記背景色入力部から入力された背景色の色空間の変換を行い、背景色の明度、彩度及び色相角を求める色情報計算部と、
前記色情報計算部で求められた背景色の色相角を変化させた背景色の配色の組み合わせを算出する色相案算出部と、
前記色相案算出部で算出された背景色の配色の組み合わせと文字色の情報とに基づいて、文字の可読性を評価し、背景色の配色の組み合わせにおける背景色の明度を調節することにより文字の可読性を向上させる文字可読性調節部と、
前記文字可読性調節部で調節された背景色の配色の組み合わせの色差を調節する色差調節部と、
前記色差調節部で調節された背景色の配色の組み合わせを表示する結果表示部と、
を有することを特徴とする。
【０００８】
本発明の一形態に係る配色提案方法は、
電子コンテンツの配色を提案する配色提案装置における配色提案方法であって、
入力された背景色の情報を受け取るステップと、
入力された文字色の情報を受け取るステップと、
前記受け取った背景色の色空間の変換を行い、背景色の明度、彩度及び色相角を求めるステップと、
前記求められた背景色の色相角を変化させた背景色の配色の組み合わせを算出するステップと、
前記算出された背景色の配色の組み合わせと文字色の情報とに基づいて、文字の可読性を評価し、背景色の配色の組み合わせにおける背景色の明度を調節することにより文字の可読性を向上させるステップと、
前記背景色の明度が調節された背景色の配色の組み合わせの色差を調節するステップと、
前記色差が調節された背景色の配色の組み合わせを表示するステップと、
を有することを特徴とする。
【０００９】
本発明の一形態に係るプログラムは、
電子コンテンツの配色を提案する配色提案装置として、コンピュータを機能させるためのプログラムであって、当該コンピュータを、
背景色の情報を入力する背景色入力手段、
文字色の情報を入力する文字色入力手段、
前記背景色入力手段から入力された背景色の色空間の変換を行い、背景色の明度、彩度及び色相角を求める色情報計算手段、
前記色情報計算手段で求められた背景色の色相角を変化させた背景色の配色の組み合わせを算出する色相案算出手段、
前記色相案算出手段で算出された背景色の配色の組み合わせと文字色の情報とに基づいて、文字の可読性を評価し、背景色の配色の組み合わせにおける背景色の明度を調節することにより文字の可読性を向上させる文字可読性調節手段、
前記文字可読性調節手段で調節された背景色の配色の組み合わせの色差を調節する色差調節手段、及び
前記色差調節手段で調節された背景色の配色の組み合わせを表示する結果表示手段、
として機能させることを特徴とする。
【発明の効果】
【００１０】
本発明によれば、電子コンテンツの配色を提案する際に、色覚異常者が区別できる色で、かつ文字の見やすさも考慮した配色案を提案することが可能になる。
【図面の簡単な説明】
【００１１】
【図１】本発明の実施例に係る配色提案装置を示すブロック図である。
【図２】本発明の実施例に係る配色提案装置の処理の流れを示す図である。
【図３】本発明の実施例に係る配色提案装置のハードウェア構成例を示す図である。
【発明を実施するための形態】
【００１２】
以下、図面を参照して本発明の実施例について説明する。
【００１３】
本発明の実施例では、電子コンテンツの配色を提案する配色提案装置について説明する。配色提案装置は、テキスト及び背景で構成される電子コンテンツについて、テキストに対する背景色の組み合わせを提案する装置である。電子コンテンツには、HTML（Hypertext Markup Language）等で記述されたWebコンテンツ、電子画像等が含まれる。
【００１４】
図１は本発明の実施例に係る配色提案装置100のブロック図である。配色提案装置100は、コンピュータ（例えば、パーソナルコンピュータ（PC））内で動作するアプリケーションとして実現されてもよい。配色提案装置100は、背景色入力部101、文字色入力部102、色情報計算部103、色相案算出部104、文字可読性調節部105、色差調節部106、結果表示部107から構成される。
【００１５】
背景色入力部101は、背景色の情報の入出力を行う。文字色入力部102は、文字色の情報の入出力を行う。色情報計算部103は、色空間の変換を行い、少なくとも背景色の明度、彩度及び色相角を求める。色相案算出部104は、背景色の情報に基づき、背景色の色相角を変化させることにより、色覚異常者が区別可能な新しい背景色の配色の組み合わせを算出する。文字可読性調節部105は、背景色の配色の組み合わせと文字色の情報とに基づいて、文字の可読性を評価し、その結果に基づいて背景色の組み合わせにおける背景色の明度を調節することにより文字の可読性を向上させる。色差調節部106は、背景色の配色の組み合わせの色差の調節を行う。結果表示部107は、処理結果の表示を行う。以下、配色提案装置100における各機能部の処理について詳細に説明する。
【００１６】
図２に、本発明の実施例に係る配色提案装置100の処理の流れを示す。
【００１７】
ステップS101では、背景色入力部101において、背景色とする任意の1色の情報が入力される。入力方法は、例えばHTML等に使用される16進数で記述されたコード値をテキスト入力すること等によって実現できる。背景色入力部101では入力された色のRGB値を出力する。背景色のRGB値をそれぞれ、bR、bG、bBとする。背景色入力部101で入力された背景色のRGB値bR、bG、bBは、色情報計算部103に送られる。
【００１８】
ステップS102では、文字色入力部102において、文字色とする任意の1色の情報が入力される。入力方法は、例えばHTML等に使用される16進数で記述されたコード値をテキスト入力すること等によって実現できる。文字色入力部102では入力された色のRGB値を出力する。文字色のRGB値をそれぞれ、lR、lG、lBとする。文字色入力部102で入力された文字色のRGB値lR、lG、lBは、色情報計算部103に送られる。なお、文字色入力部102で入力された文字色のRGB値lR、lG、lBは、色情報計算部103において色空間の変換を行わずに、文字可読性調節部105に送られてもよい。
【００１９】
ステップS103では、色情報計算部103は背景色入力部101から送られたbR、bG、bB、および文字色入力部102から送られたlR、lG、lBのそれぞれについて、明度（L*）と色度（a*、b*）の3値を持つL*a*b*色空間の値に変換する。さらに、それらの値から彩度C*と色相角H*を求める。L*a*b*色空間におけるL*は0〜100の範囲で変化し、値が大きいほど明るいことを示す。色みを表すa*は赤と緑の間で変化し、正の値で赤み、負の値で緑みが強いことを示す。b*は青と黄の間で変化し、正の値で黄み、負の値で青みが強いことを示す。C*が0の時は灰色であり、値が大きくなるにつれて鮮やかな色になる。C*の最大値は色によって異なる。H*は角度で表され、a*b*平面上において0°でおよそ赤色となり、黄、緑、青、紫と変化し一周するとまた赤に戻る。
【００２０】
ここでは、背景色のL*C*H*値をbL、bC、bH、文字色のL*C*H*値をlL、lC、lHとする。このうち、背景色のbL、bC、bHが色相案算出部104に送られる。また、文字色のlL、lC、lHは文字可読性調節部105に送られる。
【００２１】
ステップS104では、色相案算出部104において、色情報計算部103から送られた背景色のbHを用いて、先天性色覚異常者が区別可能な、bHとは異なる色相角を算出する。新しい色相角を算出する式は、
newH＝α×bH+β
である。ここで、色相角bHの値が0°〜360°のどの範囲であるかにより、α、βが変化する。このように、新しい色相角newHは、背景色の色相角bHを変化させることにより算出される。これは、先天性色覚異常者の色のカテゴリ分類が色相角によって変化するためである。また、1つの色相角bHに対する算出パターンを以下とし、算出パターンによってもα、βが変化するものとする。各算出パターンは入力されたbHを含めて以下となる。
【００２２】
・対照色相配色3色×3セット（(1)bH、H1、H2／(2)bH、H3、H4／(3)bH、H5、H6）
・類似色相配色3色×1セット（(4)bH、H7、H8）
・補色色相配色2色×2セット（(5)bH、H9／(6)bH、H10）
以下に、算出式の一例を示す。
【００２３】
対照色相配色：
0≦bH＜10  のとき
H1=bH+270
H2=0.5×bH+140
H3=bH+120
H4=0.5×bH+300
H5=bH+80
H6=bH+270
類似色相配色：
0≦bH＜20  のとき
H7=0.5×bH-335
H8=0.75×bH+30
補色色相配色：
0≦bH＜20  のとき
H9=bH+180
H10=bH+210
上記のように算出される。
【００２４】
ステップS105では、色相案算出部104において、上記(1)〜(6)までの全ての色相角に対し、背景色の明度（bL）と彩度（bC）とを組み合わせることによって色を作る。ここで、できあがる色のセットは以下のようになる。
【００２５】
・対照色相配色（3色×3セット）
(1)bH、bL、bC  に対し、H1、bL、bC  と  H2、bL、bC
(2)bH、bL、bC  に対し、H3、bL、bC  と  H4、bL、bC
(3)bH、bL、bC  に対し、H5、bL、bC  と  H6、bL、bC
類似色相配色（3色×1セット）
(4)bH、bL、bC  に対し、H7、bL、bC  と  H8、bL、bC
補色色相配色（2色×2セット）
(5)bH、bL、bC  に対し、H9、bL、bC
(6)bH、bL、bC  に対し、H10、bL、bC
これら背景色の色相角を変化させた対照色相配色と類似色相配色と補色色相配色の組み合わせである(1)〜(6)の色セットの情報は、文字可読性調節部105に送られる。
【００２６】
このように、色相案算出部104において1つの背景色の入力に対して6種類の背景色の組み合わせの候補(1)〜(6)が作成され、文字可読性調節部105に送られる。文字可読性調節部105に送られた(1)〜(6)までの色のセットを、Ln、Hn、Cnとする（n=1,2,…6）。
【００２７】
ステップS107では、文字可読性調節部105において、背景色候補Ln、Cn、Hnと、色情報計算部103から送られた文字色のlL、lC、lHを用いて、背景と文字の間のコントラスト比を算出する。ここで、JISで定義されているコントラスト比の他に、先天性色弱者の見え方におけるコントラスト比を算出する。ここでは一般的に使用されている色覚シミュレーションの式（非特許文献３）を使用するが、他の計算式となることもある。
【００２８】
それぞれの見え方において、Ln、Cn、Hnと、lL、lC、lHをRGB値に変換し、下記の値を求める。なお、文字色のRGB値は、文字色入力部102から送られたRGB値でもよい。
【００２９】
Lum=0.2126×R+0.7152×G+0.0722×B
そして、それぞれの見え方において、下記の式により背景色と文字色とのコントラスト比を求める。
【００３０】
Cont=((L1+0.05))/((L2+0.05))
ここで、L1は明るいほうの色のLum、L2は暗いほうの色のLumである。Contは1〜21の値を取り、21の場合が最も読みやすく、1が最も読みにくいとなる。
【００３１】
上記の式で求めた色覚正常者の見え方でのContをCont_Cn、先天性色覚異常者のうち、1型色覚の見え方におけるContをCont_Pn、2型色覚の見え方におけるContをCont_Dn（n=1,2,…6）とする。
【００３２】
同じnを取る3種類のContの値のうち、どれか一つでもある任意の値を満たさなかった場合、（Ln、Cn、Hn）の色は文字が見にくくなると判断するものとする。ここでは、任意の値を4.5とし、4.5未満になった場合は文字が見にくい（Check=NG）という値を返すものとする。ステップS108に移る。
【００３３】
ステップS108では、文字可読性調節部105において、Check=NGとなった背景色Ln、Cn、Hnについて、Lnの値を基準値以上、すなわち上記の例では3種類のうち最も低かったContが4.5となるように背景色の明度を変化させる。Lnの値によって、変化方向が変わる。もともと明るければ暗くする等の方法がある。Cont≧4.5になった時、Check=OKとし、そのときのLnの値を出力する（Ln'）。
【００３４】
文字可読性調節部105から、(1)〜(6)それぞれについてのHn、Cn、Ln（またはLn'）の情報が色差調節部106に送られる。
【００３５】
ステップS109では、色差調節部106において、文字可読性調節部105から送られた(1)〜(6)のそれぞれのHn、Cn、Ln（またはLn'）の値の微調整を行う。これは、各セット内の2〜3色が、ステップS108での処理の結果、似たような色になってしまうことがあるためである。ここでは、色差を保つように調節を行う。色差は明度、彩度、色相角から求められる色空間内の距離である。処理は、セット(1)〜(6)について彩度の調節を行う。例として、色差が5以上になるようにする。
【００３６】
調節後のnewHn、newCn、newLn（n=1,2,…6）の情報は、色情報計算部103に送られる。
【００３７】
ステップS110では、色情報計算部103において、調節後のnewHn、newCn、newLnをRGB値に変換する。変換された値を、newRn、newGn、newBnとする。新しいRGB値の情報は結果表示部107に送られる。
【００３８】
ステップS111では、結果表示部107において、(1)〜(6)のそれぞれのnewRn、newGn、newBnを背景色、文字色入力部102から送られたlR、lG、lBを文字色として表示する。表示は(1)〜(6)のセットごとに行う。
【００３９】
以上が本発明の実施例における処理の流れである。
【００４０】
上記の処理では、背景色入力部101において、背景色は16進数のコード値をテキスト入力するものとしているが、他の入力方法でも良い。例えば、カラーパレットで指定したり、ディスプレイ上の任意の色を取得するなどでも良い。また、RGB値やそれ以外の数値を入力するのでも良い。
【００４１】
上記の処理では、色情報計算部103において、L*a*b*表色系における色相角の値を用いているが、色相角を求めるのは必ずしもこの方法でなくて良い。先天性色覚異常者が区別可能な色の境界がデータベース（DB）で定義できればよい。
【００４２】
上記の処理では、色相案算出部104において、背景色と調和した色相を求めるために角度配色法を使用しているが、他の方法で調和した色を求めるのでも良い。
【００４３】
上記の処理では、文字可読性調節部105で定義されている基準値について、コントラスト比の基準値はJISで定義されている値を使用しているが、他の値であっても良い。たとえば3などでもよい。また、文字が見やすいかどうかの判断ルールは上記の限りではない。たとえば一般色覚者のみが基準値を満たさなかった場合をCheck＝NGとするなど、ルールを変えることも可能である。
【００４４】
結果表示部107では文字可読性調節部105で得られたそれぞれの色覚特性のコントラスト比、およびチェック結果などをあわせて表示しても良い。
【００４５】
上記のように、本実施例はPC内で動作するアプリケーションとして実施可能であるが、他の手段で実施されることもありうる。たとえばインターネット通信手段を持ったアプリケーションとして実施されてもよい。
【００４６】
＜本発明の実施例の効果＞
本発明の実施例によれば、電子画像及び電子コンテンツの配色を提案する際に、任意の背景色に対し、先天性色覚異常者が区別でき、かつ、文字も見やすい背景色の組み合わせを提案することができる。また、この組み合わせはカラーコーディネートによる調和も考えられている。本発明の実施例の使用者は本発明の実施例によってもたらされる配色案を参考とすることで、効果的にアクセシビリティを向上することができる。
【００４７】
＜ハードウェア構成例＞
図３に、本発明の実施例に係る配色提案装置100のハードウェア構成例を示す。配色提案装置100は、CPU（Central Processing Unit）151等のプロセッサ、RAM（Random Access Memory）やROM（Read Only Memory）等のメモリ装置152、ハードディスク等の記憶装置153等から構成されたコンピュータでもよい。例えば、配色提案装置100の機能及び処理は、記憶装置153又はメモリ装置152に格納されているデータやプログラムをCPU151が実行することによって実現される。また、配色提案装置100に必要な情報は、入出力インタフェース装置154から入力され、配色提案装置100において求められた結果は、入出力インタフェース装置154から出力されてもよい。
【００４８】
＜補足＞
説明の便宜上、本発明の実施例に係る配色提案装置は機能的なブロック図を用いて説明しているが、本発明の実施例に係る配色提案装置は、ハードウェア、ソフトウェア又はそれらの組み合わせで実現されてもよい。例えば、本発明の実施例は、コンピュータに対して本発明の実施例に係る配色提案装置の機能を実現させるプログラム、コンピュータに対して本発明の実施例に係る方法の各手順を実行させるプログラム等により、実現されてもよい。また、各機能部が必要に応じて組み合わせて使用されてもよい。また、本発明の実施例に係る方法は、実施例に示す順序と異なる順序で実施されてもよい。
【００４９】
以上、電子コンテンツの配色を提案する際に、色覚異常者が区別できる色で、かつ文字の見やすさも考慮した配色案を提案するための手法について説明したが、本発明は、上記の実施例に限定されることなく、特許請求の範囲内において、種々の変更・応用が可能である。
【符号の説明】
【００５０】
100  配色提案装置
101  背景色入力部
102  文字色入力部
103  色情報計算部
104  色相案算出部
105  文字可読性調節部
106  色差調節部
107  結果表示部
151  CPU
152  メモリ装置
153  記憶装置
154  入出力インタフェース装置
【図１】
2018022347.tif 000003
【図２】
2018022347.tif 000004
【図３】
2018022347.tif 000005